【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
撮影光学系を構成する複数の光学要素を有するレンズ鏡筒において、撮影状態では上記複数の光学要素を同一の撮影光軸上に位置させ、沈胴状態では、上記複数の光学要素の一部を残りの光学要素の光軸とは異なる位置に退避させ、かつ該退避した光学要素と、退避しない光学要素の少なくとも一部とをそれぞれ後退させることを特徴とする沈胴式レンズ鏡筒。
【請求項２】
請求項１記載の沈胴式レンズ鏡筒において、上記沈胴状態では、上記撮影光軸を中心とする径方向において、退避した光学要素が退避しない少なくとも一つの光学要素の外側に位置する沈胴式レンズ鏡筒。
【請求項３】
請求項１または２記載の沈胴式レンズ鏡筒において、上記退避した光学要素は上記撮影光軸と平行に後退する沈胴式レンズ鏡筒。
【請求項４】
請求項１ないし３のいずれか１項記載の沈胴式レンズ鏡筒において、沈胴状態での上記退避光学要素の光軸は、上記撮影光軸と平行である沈胴式レンズ鏡筒。
【請求項５】
請求項１ないし４のいずれか１項記載の沈胴式レンズ鏡筒において、撮影状態から沈胴状態になるとき上記撮影光軸上から退避する光学要素は複数である沈胴式レンズ鏡筒。
【請求項６】
請求項５記載の沈胴式レンズ鏡筒において、上記複数の退避光学要素は、撮影光軸に対して互いに異なる方向へ退避する沈胴式レンズ鏡筒。
【請求項７】
請求項１ないし６のいずれか１項記載の沈胴式レンズ鏡筒において、上記撮影光学系を構成する複数の光学要素の少なくとも一つを光軸方向に駆動する回転部材を有し、該回転部材の回転中心軸と上記撮影光軸とが偏心している沈胴式レンズ鏡筒。
【請求項８】
請求項７記載の沈胴式レンズ鏡筒において、上記沈胴状態において退避した光学要素の外縁は、上記回転部材の輪郭内に位置している沈胴式レンズ鏡筒。
【請求項９】
請求項１ないし８のいずれか１項記載の沈胴式レンズ鏡筒において、上記退避する光学要素を支持した退避要素支持枠が備えられ、該退避光学要素は、退避した状態において少なくとも一部がこの退避要素支持枠内に位置する沈胴式レンズ鏡筒。
【請求項１０】
撮影光学系を構成する複数の光学要素を有するレンズ鏡筒において、上記複数の光学要素が同一の撮影光軸上に位置する撮影状態から沈胴状態に移行するとき、上記複数の光学要素の一部を残りの光学要素の光軸とは異なる偏心位置に退避させる偏心退避ステップと、この偏心退避ステップで退避した光学要素を光軸方向後方に後退させる後退ステップと、上記偏心退避ステップで退避した光学要素以外の光学要素の少なくとも一部を光軸方向後方に後退させる後退ステップと、を有することを特徴とするレンズ鏡筒の沈胴方法。
【請求項１１】
請求項１０記載のレンズ鏡筒の沈胴方法において、上記沈胴状態では、上記撮影光軸を中心とする径方向において、退避した光学要素を退避しない少なくとも一つの光学要素の外側に位置させるレンズ鏡筒の沈胴方法。
【請求項１２】
請求項１０または１１記載のレンズ鏡筒の沈胴方法において、上記後退ステップでは、上記退避した光学要素を上記撮影光軸と平行に後退させるレンズ鏡筒の沈胴方法。
【請求項１３】
請求項１０ないし１２のいずれか１項記載のレンズ鏡筒の沈胴方法において、沈胴状態での上記退避光学要素の光軸は、上記撮影光軸と平行であるレンズ鏡筒の沈胴方法。
【請求項１４】
請求項１０ないし１３のいずれか１項記載のレンズ鏡筒の沈胴方法において、上記退避ステップでは、複数の光学要素を上記撮影光軸上から退避させるレンズ鏡筒の沈胴方法。
【請求項１５】
請求項１０ないし１４のいずれか１項記載のレンズ鏡筒の沈胴方法において、上記退避する光学要素を支持した退避要素支持枠が備えられ、上記後退ステップにおいて、該退避光学要素は少なくとも一部がこの退避要素支持枠内に位置するレンズ鏡筒の沈胴方法。
【請求項１６】
請求項１４記載のレンズ鏡筒の沈胴方法において、上記退避ステップでは、上記複数の退避光学要素を、撮影光軸に対して互いに異なる方向へ退避させるレンズ鏡筒の沈胴方法。
【請求項１７】
撮影光学系を構成する複数のレンズ群のうち少なくとも一つのレンズ群を光軸方向に連続的に移動することにより焦点距離を変化させるズームレンズ用沈胴式レンズ鏡筒において、レンズ鏡筒が最も短くなる時に、複数のレンズ群のうちの少なくとも一つを、他のレンズ群に対して退避させることにより、退避させたレンズ群の光軸方向位置と他の少なくとも一つのレンズ群の光軸方向位置が重複することを特徴とする沈胴式レンズ鏡筒。
【請求項１８】
請求項１７記載の沈胴式レンズ鏡筒において、退避させるレンズ群は最もレンズ径の小さいレンズ群である沈胴式レンズ鏡筒。
【請求項１９】
請求項１７または１８記載の沈胴式レンズ鏡筒において、前記複数のレンズ群の間には少なくとも１箇所に径が可変の絞りがあり、退避させるレンズ群は、絞りより像面側のレンズ群である沈胴式レンズ鏡筒。
【請求項２０】
請求項１７ないし１９のいずれか１項に記載の沈胴式レンズ鏡筒において、前記複数のレンズ群の間には少なくとも１箇所に径が可変の絞りがあり、退避させるレンズ群は、絞りに最も近いレンズ群である沈胴式レンズ鏡筒。
【請求項２１】
請求項１７ないし２０のいずれか１項に記載の沈胴式レンズ鏡筒において、退避させるレンズ群は最も物体側のレンズ群以外のレンズ群である沈胴式レンズ鏡筒。
【請求項２２】
撮影光学系を構成する複数の光学要素を有するレンズ鏡筒において、撮影状態では上記複数の光学要素が同一の撮影光軸上に位置し、沈胴状態では、上記複数の光学要素の一部が残りの光学要素の光軸とは異なる位置に退避し、かつ該退避光学要素と、退避しない光学要素の少なくとも一部とがそれぞれ撮影状態よりも後方に位置していることを特徴とする沈胴式レンズ鏡筒。
【請求項２３】
撮影光学系を構成する複数の光学要素を有するレンズ鏡筒において、上記複数の光学要素を同一の撮影光軸上に位置させて撮影状態とするステップと、上記複数の光学要素の一部を残りの光学要素の光軸とは異なる偏心位置にかつ撮影状態よりも後方に位置させ、かつ上記残りの光学要素の少なくとも一部も撮影状態よりも後方に位置させる沈胴ステップと、を有することを特徴とするレンズ鏡筒の沈胴方法。
【手続補正２】
【補正対象書類名】明細書
【補正対象項目名】００１７
【補正方法】変更
【補正の内容】
【００１７】
固定筒１２の外周には、回転環１４が回転のみ可能に支持されている。すなわち、固定筒１２にはその外周面に径方向突起１２ａが形成され、回転環１４には、その内周面にこの径方向突起１２ａに係合する周方向溝１４ａが形成されていて、両者の係合により、回転環１４は光軸方向移動を規制され回転のみ可能に固定筒１２に支持されている。回転環１４にはまた、その外周面にギヤ１４ｂが形成されており、このギヤ１４ｂにピニオン１５が噛み合っている。ピニオン１５がモータＭによって正逆に回転駆動されると、回転環１４が回転部材の回転中心軸Ｚ２を中心に正逆に駆動される。回転中心軸Ｚ２は、光軸Ｚ１と平行でかつ該光軸Ｚ１に対して偏心している。回転環１４の内周面には、回転中心軸Ｚ２と平行な回転伝達溝１４ｃが形成されている。なお、以下に説明する環状部材は、いずれも回転中心軸Ｚ２を中心とする環状部材である。
【手続補正３】
【補正対象書類名】明細書
【補正対象項目名】００１８
【補正方法】変更
【補正の内容】
【００１８】
固定筒１２の内側には、順に、外側直進筒１６、内側直進筒１７、カム環１８、直進案内リング１９及び退避レンズ群支持枠２０が位置している。固定筒１２には、その内周面に直進案内溝１２ｂが形成されており、直進案内リング１９にはこの直進案内溝１２ｂに嵌まる直進案内突起１９ａが形成されている。直進案内リング１９は光軸方向にのみ移動する環状部材である。また、直進案内リング１９の外周面とカム環１８の内周面には、両者の相対回転を可能とし光軸方向の相対移動を規制する（許さない）径方向突起１９ｂと周方向溝１８ａが形成されている。カム環１８は、直進案内リング１９と光軸方向に常時一緒に移動する、直進案内リング１９に対する相対回転が可能な環状部材である。
【手続補正４】
【補正対象書類名】明細書
【補正対象項目名】００２１
【補正方法】変更
【補正の内容】
【００２１】
また、外側直進筒１６とカム環１８とは、相対回転は可能に光軸方向には一緒に移動するように結合されている。すなわち、外側直進筒１６の内周面に形成した周方向溝１６ａに対し、カム環１８の外周面に設けた径方向突起１８ｆが摺動可能に嵌まっている。また外側直進筒１６は固定筒１２に、内側直進筒１７は外側直進筒１６にそれぞれ、回転中心軸Ｚ２方向の直進相対移動のみ可能に支持されている。すなわち、外側直進筒１６の外周面に突設した直進案内突起１６ｂは、固定筒１２の内周面に形成した回転中心軸Ｚ２と平行な直進案内溝１２ｄに嵌まり、内側直進筒１７の外周面に突設した直進案内突起１７ｂは、外側直進筒１６の内周面に形成した回転中心軸Ｚ２と平行な直進案内溝１６ｃに嵌まっている。従って、内側直進筒１７はカム環１８が回転駆動されるとカム溝１８ｄの形状に従い回転中心軸Ｚ２方向に進退する。
【手続補正５】
【補正対象書類名】明細書
【補正対象項目名】００２３
【補正方法】変更
【補正の内容】
【００２３】
上述のように、第２レンズ群Ｌ２は、沈胴時には、光軸Ｚ１からの偏心位置に退避する退避光学要素である。次に図４以下について、この第２レンズ群Ｌ２の退避構造を説明する。退避レンズ枠２１は、第２レンズ群Ｌ２を固定したレンズ筒２１ａ、このレンズ筒２１ａの径方向に延びる揺動アーム２１ｂ、及びこの揺動アーム２１ｂの先端に設けた揺動中心筒２１ｃを有している。揺動中心筒２１ｃは、退避レンズ群支持枠２０に設けた偏心軸２０ｃに回動自在に嵌まっており、レンズ筒２１ａに固定されている第２レンズ群Ｌ２は、退避レンズ群支持枠２０の偏心軸２０ｃを中心とする揺動運動により、光軸Ｚ１上に位置する撮影位置（図５、図６、図７、図８及び図１０の各（Ａ）参照）と、光軸Ｚ１から退避した偏心退避位置（同各（Ｂ）参照）とに移動できる。退避レンズ枠２１は、揺動中心筒２１ｃと偏心軸２０ｃとの間に介在させたトーションばね２３（図１）により、レンズ筒２１ａ（第２レンズ群Ｌ２）が光軸Ｚ１上に位置する方向に回動付勢されており、その突出端（回動端）は、退避レンズ枠２１に設けたストッパアーム２１ｄと、退避レンズ群支持枠２０に設けたストッパ２０ｄ（図１０）とによって規制される。また、退避レンズ群支持枠２０には、偏心退避位置に移動したレンズ筒２１ａ（第２レンズ群Ｌ２）の一部を進入させる切欠２０ｆが形成されている。
【手続補正６】
【補正対象書類名】明細書
【補正対象項目名】符号の説明
【補正方法】変更
【補正の内容】
【符号の説明】
Ｌ１  第１レンズ群
Ｌ２  第２レンズ群
Ｌ３  第３レンズ群
Ｃ  固体撮像素子
Ｆ  ローパスフィルタ
１０  沈胴式レンズ鏡筒
１１  ＣＣＤ枠
１１ａ  位置制御カム
１１ａ１  退避位置保持面
１１ａ２  移行傾斜面
１２  固定筒
１２ａ  径方向突起
１２ｂ  直進案内溝
１２ｃ  カム溝
１４  回転環
１４ａ  周方向溝
１４ｂ  ギヤ
１４ｃ  回転伝達溝
１５  ピニオン
１６  外側直進筒
１７  内側直進筒
１８  カム環
１８ａ  周方向溝
１８ｂ  フォロアピン
１８ｃ  １８ｄ  カム溝
１８ｆ  径方向突起
１９  直進案内リング
１９ａ  直進案内突起
１９ｂ  径方向突起
１９ｃ  直進ガイドバー
２０  退避レンズ群支持枠
２０ａ  フォロア突起
２０ｂ  直進ガイド溝
２０ｃ  偏心軸
２０ｄ  ストッパ
２１  退避レンズ枠
２１ａ  レンズ筒
２１ｂ  揺動アーム
２１ｃ  揺動中心筒
２１ｄ  ストッパアーム
２１ｆ  位置制御突起
２２  第３レンズ枠
２３  トーションばね
４０  カメラボディ
【手続補正７】
【補正対象書類名】図面
【補正対象項目名】図１
【補正方法】変更
【補正の内容】
【図１】
2003315861.tif 000001